(57)【要約】【課題】  液晶表示パネルの最適なコントラストを迅速に得ることができる液晶表示パネルの駆動回路を提供する。【解決手段】  液晶表示パネル６の駆動電圧を発生する電源回路４と、液晶表示パネル６の温度あるいは液晶表示パネル６の周囲温度に基づく検出信号を出力する温度検出手段２と、温度検出手段２からの前記検出信号に基づいて予め定められた目標駆動電圧を発生するために電源回路４を制御する制御手段３と、を備えてなる液晶表示パネルの駆動回路であって、制御手段３は、起動時もしくは手動のコントラスト調整時において、電源回路４からの駆動電圧が前記目標駆動電圧値に達するまでに、所定時間毎に段階的に変化してなる制御信号を電源回路４へ出力してなる。【選択図】  図１
2008216611.tif 000002
【特許請求の範囲】
【請求項１】
液晶表示パネルの駆動電圧を発生する電源回路と、前記液晶表示パネルの温度あるいは前記液晶表示パネルの周囲温度に基づく検出信号を出力する温度検出手段と、前記温度検出手段からの前記検出信号に基づいて予め定められた目標駆動電圧を発生するために前記電源回路を制御する制御手段と、を備えてなる液晶表示パネルの駆動回路であって、
前記制御手段は、起動時もしくは手動のコントラスト調整時において、前記電源回路からの駆動電圧が前記目標駆動電圧値に達するまでに、所定時間毎に段階的に変化してなる制御信号を前記電源回路へ出力してなることを特徴とする液晶表示パネルの駆動回路。
【請求項２】
前記制御手段は、起動もしくは手動のコントラスト調整から一定時間経過した後、前記所定時間を変更してなることを特徴とする請求項１に記載の液晶表示パネルの駆動回路。
【請求項３】
前記制御手段は、前記液晶表示パネルの駆動電圧を入力し、この駆動電圧値に基づいて前記目標駆動電圧値を算出してなることを特徴とする請求項１に記載の液晶表示パネルの駆動回路。
【発明の詳細な説明】
【技術分野】
【０００１】
本発明は、温度に応じて駆動電圧を生成する液晶表示パネルの駆動回路に関するものであって、例えば、車両に搭載される液晶表示パネルの駆動回路に好適である。
【背景技術】
【０００２】
従来、この種の液晶表示パネルの駆動回路は、例えば、特許文献１に開示されている。この液晶表示パネルの駆動回路は、液晶表示パネルの温度あるいはその周囲温度を検出する温度センサ（温度検出手段）と、この温度センサにより得られた温度情報に基づいて液晶表示パネルの駆動電圧を制御する制御手段とを備え、この制御手段は、温度センサからの温度情報を入力すると、予め定められたコントラストデータに応じた駆動電圧を液晶表示パネルに印加することによって、液晶表示パネルのコントラストを自動調整するものであった。
【特許文献１】実開平５−９０４４５号公報
【発明の開示】
【発明が解決しようとする課題】
【０００３】
しかしながら、このような液晶表示パネルの駆動回路は、急激な温度変化が生じた場合にあっては、液晶表示パネルの駆動電圧を大きく変化させて調整する必要があるものの、電源回路が目標の駆動電圧を生成し出力までに時間を要してしまうことや、コンデンサなど他の部品によって応答性が低くなってしまうことから、目標の駆動電圧値以上または目標の駆動電圧値未満を往復し、最適なコントラストに収束するまでに表示がちらついてしまうといった問題があった。また、特に、環境温度が著しく寒暖である場合において液晶表示パネルを始動する場合には、最適なコントラストを得るまでに時間を要するため問題となっていた。
【０００４】
そこで本発明の目的とするところは、上述した問題点に着目してなされたものであって、液晶表示パネルの最適なコントラストを迅速に得ることができる液晶表示パネルの駆動回路を提供することにある。
【課題を解決するための手段】
【０００５】
本発明の液晶表示パネルの駆動回路は、請求項１に記載のように、液晶表示パネルの駆動電圧を発生する電源回路と、前記液晶表示パネルの温度あるいは前記液晶表示パネルの周囲温度に基づく検出信号を出力する温度検出手段と、前記温度検出手段からの前記検出信号に基づいて予め定められた目標駆動電圧を発生するために前記電源回路を制御する制御手段と、を備えてなる液晶表示パネルの駆動回路であって、前記制御手段は、起動時もしくは手動のコントラスト調整時において、前記電源回路からの駆動電圧が前記目標駆動電圧値に達するまでに、所定時間毎に段階的に変化してなる制御信号を前記電源回路へ出力してなることを特徴とする。
【０００６】
また、請求項２に記載のように、請求項１に記載の液晶表示パネルの駆動回路において、前記制御手段は、起動もしくは手動のコントラスト調整から一定時間経過した後、前記所定時間を変更してなることを特徴とする。
【０００７】
また、請求項３に記載したように、請求項１に記載の液晶表示パネルの駆動回路において、前記制御手段は、前記液晶表示パネルの駆動電圧を入力し、この駆動電圧値に基づいて前記目標駆動電圧値を算出してなることを特徴とする。
【発明の効果】
【０００８】
本発明は、液晶表示パネルの駆動電圧を発生する電源回路と、前記液晶表示パネルの温度あるいは前記液晶表示パネルの周囲温度に基づく検出信号を出力する温度検出手段と、前記温度検出手段からの前記検出信号に基づいて予め定められた目標駆動電圧を発生するために前記電源回路を制御する制御手段と、を備えてなる液晶表示パネルの駆動回路に関し、液晶表示パネルの最適なコントラストを迅速に得ることができる。
【発明を実施するための最良の形態】
【０００９】
以下、本発明が適用された実施の形態について、自動車や建設機械などの車両搭載機器としてインストルメントパネルに設けられる車両用計器に適用したものを例に挙げて、添付図面を用いて説明する。
【００１０】
図１は、本発明の一実施例であり、シートベルトの装着や残燃料量などに関する警報表示を行う液晶表示パネルを備えた表示器を制御するための車両用計器において、液晶表示パネルへ電力供給するための電源回路を有する駆動回路について電気的な構成を示すブロック図である。
【００１１】
駆動回路は、入力手段１と、温度検出手段２と、制御手段３と、電源回路４と、ＬＣＤドライバ５と、液晶表示パネル６と、を備えている。
【００１２】
入力手段１は、ユーザーの操作に基づく信号を制御手段３へ出力するためのインターフェイスである。この場合、入力手段１は、イグニションスイッチ１１と、ユーザーがコントラストを調整操作するための調整スイッチ１２を適用しており、ユーザーの手動操作に基づく信号を制御手段３に出力することができる。
【００１３】
温度検出手段２は、サーミスタなどの検出素子を適用でき、液晶表示パネル６の温度あるいは液晶表示パネル６の周囲温度を検出できる位置に設けられている。温度検出手段２は、検出した温度に応じた検出信号を制御手段３に出力する。
【００１４】
制御手段３は、マイクロコンピュータを適用でき、温度検出手段２からの検出信号や、図示しない各種センサからの車両速度やエンジン回転数などに基づく車両情報を入力し、この検出信号に応じた制御信号を電源回路４に出力し、車両情報に応じた制御信号をＬＣＤドライバ５に出力する。制御手段３は、各種信号等に基づいて演算処理するためのＣＰＵと、このＣＰＵにおける演算処理結果等を一時的に格納する読出しおよび書換え可能なＲＡＭや、制御プログラムや制御データを格納したＲＯＭから構成される記憶部と、前記各種情報や制御信号などをやり取りするためにバス接続された入出力インターフェイスと、を備えている。
【００１５】
電源回路４は、例えば、電圧コンバータを適用でき、温度検出手段２からの検出信号に応じて制御手段３によって生成される制御信号に基づいて、ＬＣＤドライバ５に供給する液晶表示パネル６の駆動電圧を発生する回路である。この場合、電源回路４は、図示しない配線からの電圧（例えば、５Ｖ）を液晶表示パネル６の駆動に必要な駆動電圧（例えば、１５〜２０Ｖ）に昇圧して出力する。なお、電源回路４から出力される駆動電圧は、ＬＣＤドライバ５側の配線から分岐して図示しない電圧抵抗素子などを介して制御手段３へも出力される。
【００１６】
ＬＣＤドライバ５は、前記各種センサからの車両情報に応じて制御手段３によって生成される制御信号に基づく駆動信号を生成し液晶表示パネル６へ出力する回路である。なお、ＬＣＤドライバ５は、電源回路４からの駆動電圧を用いてなる駆動信号を液晶表示パネル６に印加するように構成される。
【００１７】
液晶表示パネル６は、例えば、ＴＦＴ型の液晶表示素子を適用することができ、ＬＣＤドライバ５からの駆動信号を基づいて各種車両情報を表示する。液晶表示パネル６は、この場合、シートベルトの装着や残燃料量などの情報を警報マークやゲージを用いて視覚的に表現することができる。
【００１８】
以上の構成によって、制御手段３は、温度検出手段２からの検出信号に基づいて、液晶表示パネル６あるいはその周囲における温度に対して、液晶表示パネル６が最適なコントラストで表示できるような目標駆動電圧値を記憶部に格納されたテーブルデータから選択、もしくは記憶部に格納されたプログラムに基づいて算出し、この目標駆動電圧値を駆動電圧として生成するように促す制御信号を電源回路４に出力することができる。
【００１９】
この際、制御手段３は、特に、イグニションスイッチ１１による起動時やコントラストの調整スイッチ１２による急激な変化を促す操作が行われた際には、電源回路４からの駆動電圧が前記目標駆動電圧値に達するまでに、所定時間１０ｍ秒毎に段階的に変化してなる制御信号を電源回路４へ出力するようにしており、電源回路４は、急激に変化することなく徐々に目標駆動電圧値に近づいてなる駆動電圧を出力することができる。
【００２０】
したがって、従来のように、急激な駆動電圧の変化によって、目標駆動電圧値以上または目標駆動電圧値未満を往復し、最適なコントラストに収束するまでに表示がちらついてしまうことなく、最適なコントラストによる表示を迅速に得ることができる液晶表示パネルの駆動回路となる。
【００２１】
また、イグニションスイッチ１１による起動時やコントラストの調整スイッチ１２による急激な変化を促す操作でない場合、即ち、現在の駆動電圧値と目標駆動電圧値との差が小さい場合には、段階的に変化する間隔（所定時間、例えば1秒）を大きくすることで、温度変化によってちらついてしまうことを防止できる。制御手段３は、急激な変化を必要としないであろう時間、この場合、起動もしくは手動のコントラスト調整から一定時間（例えば５秒）経過した後には、制御信号を変化させる間隔としての所定時間を１０ｍ秒から１秒に変更してなることで実現している。これにより、温度変化に対する駆動電圧の変化について必要以上に応答性を速めないことによって液晶表示パネル６の表示がちらついてしまうことを防止できる。
【００２２】
また、制御手段３は、液晶表示パネル６の駆動電圧を入力し、この駆動電圧値に基づいて前記目標駆動電圧値を算出し、この値に基づいて電源回路４への制御信号を出力することができる。したがって、精度の高いコントラスト調整を迅速に行うことができる液晶表示パネルの駆動回路となる。
【００２３】
なお、本発明の液晶表示パネルの駆動回路を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、温度に応じた最適な駆動電圧値を格納する媒体として記憶部ではなくフラッシュメモリやＥＥＰＲＯＭなどの不揮発性記憶媒体を制御手段３の外部に設けて書換え可能に構成することもできる。
【図面の簡単な説明】
【００２４】
【図１】本発明の実施の形態の構成を示すブロック図。
【符号の説明】
【００２５】
２  温度検出手段
３  制御手段
４  電源回路
６  液晶表示パネル
【図１】
2008216611.tif 000003